【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
ネットワーク接続を確立するためコンピューティングデバイス上で複数の利用可能な無線技術の中から無線技術を１つ選択する方法であって、
ファクタの集合を含む無線技術選択フレームワークであって、前記複数のファクタのうちの１つまたは複数が無線技術選択基準に組み込まれている無線技術選択フレームワークを保持するステップと、
検出された動作条件に応じて前記無線技術選択基準を動的に構成するステップと、
それぞれの利用可能な無線技術に関連付けられているステータスおよび／または機能に関する情報の集合を取得するステップと、
それぞれの利用可能な無線技術について得られた情報の集合に基づいてファクタの前記集合に含まれる１つのファクタに対するファクタ値をレンダリングするステップと、
前記ファクタ値を無線技術選択基準に適用することに少なくとも一部は基づき無線技術選択をレンダリングするステップとを備えることを特徴とする方法。
【請求項２】
選択ステップの前記レンダリングは、大域的情報を無線技術選択基準に適用することをさらに含むことを特徴とする請求項１に記載の方法。
【請求項３】
前記大域的情報は、データセットの優先度を含むことを特徴とする請求項２に記載の方法。
【請求項４】
前記無線技術は、少なくとも８０２．１１ａおよび８０２．１１ｂ無線技術を含むことを特徴とする請求項１に記載の方法。
【請求項５】
前記無線技術は、少なくとも８０２．１１ａおよびＵＷＢ無線技術を含むことを特徴とする請求項１に記載の方法。
【請求項６】
前記無線技術選択フレームワークは、さらに、無線技術選択基準により指定されたファクタの前記集合に含まれる１つのファクタに適用される１組の重みを指定することをサポートすることを特徴とする請求項１に記載の方法。
【請求項７】
前記重み付きファクタ値は、それぞれの無線技術について総合的選択スコアを付けるために組み合わされることを特徴とする請求項６に記載の方法。
【請求項８】
前記無線技術選択フレームワークは、オーバーライドファクタを指定することをサポートすることを特徴とする請求項１に記載の方法。
【請求項９】
前記無線技術選択フレームワークに従って定義された選択基準により指定された最低要求条件を満たす無線技術がない場合にユーザの介入を求めるプロンプトを発行するステップをさらに備えることを特徴とする請求項１に記載の方法。
【請求項１０】
無線技術選択基準に対するファクタおよび／または重み付けを指定することをサポートする構成インターフェースを提供するステップをさらに備えることを特徴とする請求項１に記載の方法。
【請求項１１】
選択ステップの前記レンダリングは、イベントに応答して実行されることを特徴とする請求項１に記載の方法。
【請求項１２】
前記イベントは、期間満了を含むことを特徴とする請求項１１に記載の方法。
【請求項１３】
選択ステップの前記レンダリングは、無線技術選択基準範囲内で参照されるファクタに重みを再割り当てすることに関連するイベントに応答して実行されることを特徴とする請求項１１に記載の方法。
【請求項１４】
重みの前記再割り当ては、検出されたイベントに応答して実行されることを特徴とする請求項１３に記載の方法。
【請求項１５】
前記検出されたイベントは、前記コンピューティングデバイス上で現在実行中のアプリケーションのステータスへの変更に対応することを特徴とする請求項１４に記載の方法。
【請求項１６】
前記検出されたイベントは、前記コンピューティングデバイスの電源に関係することを特徴とする請求項１４に記載の方法。
【請求項１７】
前記複数の利用可能な選択基準の１つまたは複数が選択されることを特徴とする請求項１に記載の方法。
【請求項１８】
ネットワーク接続を確立するためコンピューティングデバイス上の複数の利用可能な無線技術の中から１つの無線技術を選択することを容易にするコンピュータ実行可能命令を含むコンピュータ可読媒体であって、前記コンピュータ実行可能命令は、
ファクタの集合を含む無線技術選択フレームワークであって、前記複数のファクタのうちの１つまたは複数は無線技術選択基準に組み込まれている無線技術選択フレームワークを保持するステップと、
検出された動作条件に応じて前記無線技術選択基準を動的に構成するステップと、
それぞれの利用可能な無線技術に関連付けられているステータスおよび／または機能に関する情報の集合を取得するステップと、
それぞれの利用可能な無線技術について得られた情報の集合に基づいてファクタの前記集合に含まれる１つのファクタに対するファクタ値をレンダリングするステップと、
前記ファクタ値を無線技術選択基準に適用することに少なくとも一部は基づき無線技術選択をレンダリングするステップとを実行することを容易にすることを特徴とするコンピュータ可読媒体。
【請求項１９】
選択ステップの前記レンダリングは、大域的情報を無線技術選択基準に適用することをさらに含むことを特徴とする請求項１８に記載のコンピュータ可読媒体。
【請求項２０】
前記大域的情報は、データセットの優先度を含むことを特徴とする請求項１９に記載のコンピュータ可読媒体。
【請求項２１】
前記無線技術は、少なくとも８０２．１１ａおよび８０２．１１ｂ無線技術を含むことを特徴とする請求項１８に記載のコンピュータ可読媒体。
【請求項２２】
前記無線技術は、少なくとも８０２．１１ａおよびＵＷＢ無線技術を含むことを特徴とする請求項１８に記載のコンピュータ可読媒体。
【請求項２３】
前記無線技術選択フレームワークは、さらに、無線技術選択基準により指定されたファクタの前記集合に含まれる１つのファクタに適用される１組の重みを指定することをサポートすることを特徴とする請求項１８に記載のコンピュータ可読媒体。
【請求項２４】
前記重み付きファクタ値は、それぞれの無線技術について総合的選択スコアを付けるために組み合わされることを特徴とする請求項２３に記載のコンピュータ可読媒体。
【請求項２５】
前記無線技術選択フレームワークは、オーバーライドファクタを指定することをサポートすることを特徴とする請求項１８に記載のコンピュータ可読媒体。
【請求項２６】
前記無線技術選択フレームワークに従って定義された選択基準により指定された最低要求条件を満たす無線技術がない場合にユーザの介入を求めるプロンプトを発行することを容易にするコンピュータ実行可能命令をさらに含むことを特徴とする請求項１８に記載のコンピュータ可読媒体。
【請求項２７】
無線技術選択基準に対するファクタおよび／または重み付けを指定することをサポートする構成インターフェースを備えることを容易にするコンピュータ実行可能命令をさらに含むことを特徴とする請求項１８に記載のコンピュータ可読媒体。
【請求項２８】
選択ステップの前記レンダリングは、イベントに応答して実行されることを特徴とする請求項１８に記載のコンピュータ可読媒体。
【請求項２９】
前記イベントは、期間満了を含むことを特徴とする請求項２８に記載のコンピュータ可読媒体。
【請求項３０】
選択ステップの前記レンダリングは、無線技術選択基準範囲内で参照されるファクタに重みを再割り当てすることに関連するイベントに応答して実行されることを特徴とする請求項２８に記載のコンピュータ可読媒体。
【請求項３１】
重みの前記再割り当ては、検出されたイベントに応答して実行されることを特徴とする請求項３０に記載のコンピュータ可読媒体。
【請求項３２】
前記検出されたイベントは、前記コンピューティングデバイス上で現在実行中のアプリケーションのステータスへの変更に対応することを特徴とする請求項３１に記載のコンピュータ可読媒体。
【請求項３３】
前記検出されたイベントは、前記コンピューティングデバイスの電源に関係することを特徴とする請求項３１に記載のコンピュータ可読媒体。
【請求項３４】
前記複数の利用可能な選択基準の１つまたは複数が選択されることを特徴とする請求項１８に記載のコンピュータ可読媒体。
【請求項３５】
複数の潜在的ネットワークおよびインターフェースからネットワークおよびインターフェースを選択することをサポートするインフラストラクチャを含むコンピューティングデバイスであって、前記インターフェースは、ネットワーク接続を確立するためコンピューティングデバイス上に様々な利用可能な無線技術を潜在的に組み込み、前記コンピューティングデバイスは、
ファクタの集合を指定することをサポートする無線技術ファクタ指定フレームワークと、
前記ファクタの集合に含まれる１つまたは複数のファクタを組み込む無線技術選択基準であって、検出された動作条件に応じて動的に構成される無線技術選択基準と、
それぞれの利用可能な無線技術に関連付けられているステータスおよび／または機能に関する情報の集合を取得するための情報収集インターフェースと、
それぞれの利用可能な無線技術について取得された情報の前記集まりに基づいて前記ファクタの集合に含まれるファクタについてファクタ値を設定するためのファクタ値レンダリング機能と、
前記ファクタ値を無線技術選択基準に適用することに少なくとも一部は基づき無線インターフェース選択をレンダリングするための無線技術選択レンダリングエンジンとを備えることを特徴とするコンピューティングデバイス。
【請求項３６】
前記無線技術選択レンダリングエンジンは、さらに、選択をレンダリングする際に大域的情報を無線技術選択基準に適用することを特徴とする請求項３５に記載のコンピューティングデバイス。
【請求項３７】
前記大域的情報は、データセットの優先度を含むことを特徴とする請求項３６に記載のコンピューティングデバイス。
【請求項３８】
前記無線技術は、少なくとも８０２．１１ａおよび８０２．１１ｂ無線技術を含むことを特徴とする請求項３５に記載のコンピューティングデバイス。
【請求項３９】
前記無線技術は、少なくとも８０２．１１ａおよびＵＷＢ無線技術を含むことを特徴とする請求項３５に記載のコンピューティングデバイス。
【請求項４０】
前記無線技術選択基準は、無線技術選択基準により指定されたファクタの前記集合に含まれる１つのファクタに適用される１組の重みをさらに含むことを特徴とする請求項３５に記載のコンピューティングデバイス。
【請求項４１】
前記重み付きファクタ値は、それぞれの無線技術について総合的選択スコアを付けるために組み合わされることを特徴とする請求項４０に記載のコンピューティングデバイス。
【請求項４２】
前記無線技術ファクタ指定フレームワークは、オーバーライドファクタを指定することをサポートすることを特徴とする請求項３５に記載のコンピューティングデバイス。
【請求項４３】
選択基準により指定された最低要求条件を満たす無線技術がない場合にユーザの介入を求めるプロンプトを発行するためのユーザインターフェースをさらに備えることを特徴とする請求項３５に記載のコンピューティングデバイス。
【請求項４４】
無線技術選択基準に対するファクタおよび／または重み付けを指定することをサポートする構成インターフェースをさらに備えることを特徴とする請求項３５に記載のコンピューティングデバイス。
【請求項４５】
前記無線インターフェース選択は、イベントに応答して実行されることを特徴とする請求項３５に記載のコンピューティングデバイス。
【請求項４６】
前記イベントは、期間満了を含むことを特徴とする請求項４５に記載のコンピューティングデバイス。
【請求項４７】
前記無線インターフェース選択は、無線技術選択基準範囲内で参照されるファクタに重みを再割り当てすることに関連するイベントに応答して実行されることを特徴とする請求項４５に記載のコンピューティングデバイス。
【請求項４８】
重みの前記再割り当ては、検出されたイベントに応答して実行されることを特徴とする請求項４７に記載のコンピューティングデバイス。
【請求項４９】
前記検出されたイベントは、前記コンピューティングデバイス上で現在実行中のアプリケーションのステータスへの変更に対応することを特徴とする請求項４８に記載のコンピューティングデバイス。
【請求項５０】
前記検出されたイベントは、前記コンピューティングデバイスの電源に関係することを特徴とする請求項４８に記載のコンピューティングデバイス。
【請求項５１】
前記検出されたイベントは、利用可能な１組のネットワークの変更に関係することを特徴とする請求項４８に記載のコンピューティングデバイス。
【請求項５２】
前記検出されたイベントは、輻輳／干渉パラメータ値の変更に関係することを特徴とする請求項４８に記載のコンピューティングデバイス。
【請求項５３】
前記検出されたイベントは、ネットワークの接続の変更に関係することを特徴とする請求項４８に記載のコンピューティングデバイス。
【請求項５４】
前記複数の利用可能な選択基準の１つまたは複数が選択されることを特徴とする請求項３５に記載のコンピューティングデバイス。